(57)【要約】【課題】電力制御システムにおいて、系統の停電が発生した場合に、ユーザにとって動作してほしい家電機器の機能を優先して、蓄電池の限られた電力で家電機器を動作させる技術を提供する。【解決手段】通信端末は、制御装置から受信した、蓄電池の残量の情報と、家電機器の電力使用量の情報とに基づいて、電力の大きさに応じて蓄電池残量バー２１１と電力使用量バー２１２とをディスプレイ１４２に表示する。通信端末は、蓄電池残量バー２１１よりも電力使用量バー２１２の方を大きく表示しており、停電終了予定時刻２０１に示される時刻までに、蓄電池の残量では各家電機器への電力の供給が不足することをユーザに提示する。通信端末は、家電機器の動作を制限するか否かの指定を、操作受付部１４１への操作により受け付けて、ユーザの指示内容を制御装置へ送信する。制御装置は、ユーザの指示内容に応じて家電機器の動作を制限する。【選択図】図７
2016100917.tif 000002
【特許請求の範囲】
【請求項１】
電力の供給を制御するための電力制御システムであって、
蓄電池と、
系統および前記蓄電池の少なくともいずれかから電力の供給を受けて動作する複数の家電機器と、
通信インターフェイスを介した通信により、前記複数の家電機器の電力使用量を管理する制御装置とを備え、
前記制御装置は、
前記系統が停電した場合に、前記蓄電池の残量の情報と、各前記家電機器の電力使用量の情報とを通信端末へ送信する電力情報送信部と、
前記通信端末から、各前記家電機器の少なくとも一部の動作を制限するか否かの指定を受信する指定受信部と、
前記受け付けた指定に従って、各前記家電機器の少なくとも一部の動作を制限する動作制限部とを含む、電力制御システム。
【請求項２】
系統が停電した場合に、電力制御システムに含まれる複数の家電機器の少なくとも一部の動作を制限するための通信端末であって、
前記電力制御システムは、
蓄電池と、系統および前記蓄電池の少なくともいずれかから電力の供給を受けて動作する複数の家電機器と、通信インターフェイスを介した通信により前記複数の家電機器の電力使用量を管理する制御装置とを含み、
前記通信端末は、
前記制御装置とネットワークを介して通信するように構成された通信部と、
入力操作を受け付けるように構成された操作受付部と、
表示部と、
前記通信端末の動作を制御するように構成された制御部とを含み、
前記制御部は、
前記系統が停電した場合に、前記通信部により前記制御装置から前記蓄電池の残量の情報と、各前記家電機器の電力使用量の情報とを受信する電力情報受信部と、
前記受信した前記蓄電池の残量の情報および前記家電機器の電力使用量の情報とを前記表示部に表示する表示制御部と、
各前記家電機器の少なくとも一部の動作を制限するか否かを指定する入力操作を前記操作受付部により受け付ける指定受付部と、
前記受け付けた前記指定の内容を前記制御装置へ送信する指定送信部とを含む、通信端末。
【請求項３】
前記制御部の前記表示制御部が前記家電機器の電力使用量の情報を表示することは、
前記受信する前記家電機器の電力使用量の情報に基づいて、各前記家電機器のうち、動作中の家電機器と、動作予定の家電機器とを区別して表示することを含む、請求項２に記載の通信端末。
【請求項４】
前記制御部の前記電力情報受信部が前記家電機器の電力使用量の情報を受信することは、前記電力制御システムの前記制御装置から、起動が検知された前記家電機器の電力使用量の情報を受信することを含み、
前記表示制御部が前記家電機器の電力使用量の情報を表示することは、前記起動が検知された前記家電機器の電力使用量の情報を前記表示部に表示することを含む、請求項２に記載の通信端末。
【請求項５】
前記制御部の前記指定受付部が前記入力操作を前記操作受付部により受け付けることは、各前記家電機器について、前記系統の停電中に動作させるか、停電の復旧後に動作させるかの指定を受け付けることを含み、
前記指定送信部が前記指定の内容を前記制御装置へ送信することは、前記家電機器を、前記系統の停電中に動作させるか、停電の復旧後に動作させるかの指定を前記制御装置へ送信することを含む、請求項２に記載の通信端末。
【請求項６】
前記制御部の前記電力情報受信部は、前記外部の装置から、前記系統の停電の終了が見込まれる時を示す停電終了見込情報を受信するように構成されており、
前記表示制御部が前記家電機器の電力使用量の情報を前記表示部に表示することは、前記受信する前記停電終了見込情報に示される時までの前記家電機器の電力使用量を前記表示部に表示することを含む、請求項２に記載の通信端末。
【請求項７】
前記通信端末は、各前記家電機器の機能と消費電力とを対応付けた消費電力情報を記憶するように構成されており、
前記制御部の前記指定受付部が前記入力操作を受け付けることは、各前記家電機器の一部の機能を停止させるか否かの指定をする入力操作を受け付けることを含み、
前記表示制御部が前記家電機器の電力使用量の情報を表示することは、前記家電機器の一部の機能を停止させる入力操作を前記指定受付部が受け付けた場合に、前記消費電力情報に基づいて、前記一部の機能の停止後の前記電力使用量の情報を前記表示部に表示することを含み、
前記指定送信部が前記指定の内容を前記制御装置へ送信することは、前記指定受付部が受け付けた、各前記家電機器の一部の機能を停止させるか否かの指定を前記制御装置へ送信することを含む、請求項２に記載の通信端末。
【請求項８】
前記表示制御部が前記家電機器の電力使用量の情報を表示することは、各前記家電機器の電力使用量を、時間軸に沿って前記表示部に表示することを含み、
前記指定受付部が前記入力操作を受け付けることは、各前記家電機器の少なくとも一部の機能を停止させるか否かの指定を、機能を停止させる時間帯と対応付けて前記操作受付部により受け付けることを含み、
前記指定送信部が前記指定の内容を前記制御装置へ送信することは、前記指定受付部が受け付けた、各前記家電機器の少なくとも一部の機能を停止させるか否かと、機能を停止させる時間帯との指定を前記制御装置へ送信することを含む、請求項２に記載の通信端末。
【請求項９】
蓄電池、複数の家電機器および制御装置からなる電力制御システムにおいて電力の供給を制御するための方法であって、
前記電力制御システムを構成する制御装置が、系統が停電した場合に、蓄電池の残量の情報と、各家電機器の電力使用量の情報とを通信端末へ送信するステップと、
通信端末が、前記制御装置から前記蓄電池の残量の情報と、各前記家電機器の電力使用量の情報とを受信するステップと、
通信端末が、受信した前記蓄電池の残量の情報および前記家電機器の電力使用量の情報をディスプレイに表示するステップと、
通信端末が、各前記家電機器の少なくとも一部の動作を制限するか否かを指定する入力操作を操作受付部により受け付けるステップと、
通信端末が、受け付けた前記指定の内容を前記制御装置へ送信するステップと、
前記制御装置が、前記通信端末から、各前記家電機器の少なくとも一部の動作を制限するか否かの指定を受信するステップと、
前記制御装置が、前記受け付けた指定に従って、各前記家電機器の少なくとも一部の動作を制限するステップとを含む、方法。
【請求項１０】
通信端末の動作を制御するためのプログラムであって、
前記通信端末は、プロセッサと、メモリとを備え、系統が停電した場合に、電力制御システムに含まれる複数の家電機器の少なくとも一部の動作を制限するように構成されており、
前記プログラムは、前記プロセッサに、
前記系統が停電した場合に、前記蓄電池の残量の情報と、各前記家電機器の電力使用量の情報とを前記電力制御システムから受信するステップと、
前記受信した前記蓄電池の残量の情報および前記家電機器の電力使用量の情報とをディスプレイに表示するステップと、
各前記家電機器の少なくとも一部の動作を制限するか否かを指定する入力操作を受け付けるステップと、
前記受け付けた前記指定の内容を前記電力制御システムへ送信するステップとを実行させる、プログラム。
【発明の詳細な説明】
【技術分野】
【０００１】
本開示は、住宅などの施設に供給される電力を制御する電力制御システムに関する。
【背景技術】
【０００２】
近年、電力の供給を受ける需要家のエネルギー消費を制御するため、例えばＨＥＭＳ（Home  Energy  Management  System）などのシステムが普及しつつある。例えば、需要家の住宅などの施設に蓄電池や太陽電池を設置し、パワーコンディショナが、系統から施設への電力の供給、蓄電池の充放電、太陽電池が発電する電力の施設への供給または売電を制御する。これにより、需要家にとっては系統から供給される電力の消費量を抑えて電力料金の低減を図ることができる。
【０００３】
施設に設置される家電機器が蓄電池からの電力を利用できる場合、系統で停電が発生したとしても、全ての家電機器の動作を停止させる必要はなく、蓄電池から電力の供給を受けて、これら家電機器を動作させることができる。しかし、蓄電池に蓄えられる電力には限りがあり、また、停電は、通常、予期せず発生するため、家電機器等で電力を消費する前に予め蓄電池を充電させることも困難である。そのため、系統で停電が発生した場合に、効率的に蓄電池に蓄えられた電力を、家電機器等の動作のために利用することができる技術が検討されている。例えば、特開２０１２−６５５４８号公報は、系統が停電した場合に、当該停電が終了する時刻をコントローラが取得し、蓄電池の残量が閾値未満であるかを判断し、閾値未満である場合に、停電が終了する時刻まで蓄電池の残量が残るように、蓄電池の残量が閾値未満である間、複数の電気機器の消費電力の少なくとも一部の動作を制限する。
【先行技術文献】
【特許文献】
【０００４】
【特許文献１】特開２０１２−６５５４８号公報
【発明の概要】
【発明が解決しようとする課題】
【０００５】
特許文献１の技術によると、停電が発生した場合に、蓄電池の残量に応じて電気機器の動作を制限することで、効率的に蓄電池に蓄えられた電力を電気機器のために利用することができる。しかし、どの電気機器の動作を制限するかは、ユーザの電気機器の利用状況によって異なってくる。例えば、ユーザによっては、停電中は洗濯機やエアコンなどの機器の動作を停止してもよいが、テレビ放送を録画するための録画機器の予約機能を優先したい、等と考えることがある。本開示は、停電が発生した場合に、ユーザにとって動作してほしい家電機器の機能を優先して、蓄電池の限られた電力で家電機器を動作させる技術を提供することを目的としている。
【課題を解決するための手段】
【０００６】
一実施形態に従う電力制御システムは、蓄電池と、系統および蓄電池の少なくともいずれかから電力の供給を受けて動作する複数の家電機器と、通信インタフェースを介した通信により、複数の家電機器の電力使用量を管理する制御装置とを備える。制御装置は、系統が停電した場合に、蓄電池の残量の情報と、各家電機器の電力使用量の情報とを通信端末へ送信する電力情報送信部と、通信端末から、各家電機器の少なくとも一部の動作を制限するか否かの指定を受信する指定受信部と、受け付けた指定に従って、各家電機器の少なくとも一部の動作を制限する動作制限部とを含む。
【０００７】
別の実施形態に従うと、系統が停電した場合に、電力制御システムに含まれる複数の家電機器の少なくとも一部の動作を制限するための通信端末が提供される。電力制御システムは、蓄電池と、系統および蓄電池の少なくともいずれかから電力の供給を受けて動作する複数の家電機器と、通信インタフェースを介した通信により複数の家電機器の電力使用量を管理する制御装置とを含む。通信端末は、制御装置とネットワークを介して通信するように構成された通信部と、入力操作を受け付けるように構成された操作受付部と、表示部と、通信端末の動作を制御するように構成された制御部とを含む。制御部は、系統が停電した場合に、通信部により制御装置から蓄電池の残量の情報と、各家電機器の電力使用量の情報とを受信する電力情報受信部と、受信した蓄電池の残量の情報および家電機器の電力使用量の情報とを表示部に表示する表示制御部と、各家電機器の少なくとも一部の動作を制限するか否かを指定する入力操作を操作受付部により受け付ける指定受付部と、受け付けた指定の内容を制御装置へ送信する指定送信部とを含む。
【０００８】
一実施形態によると、制御部の表示制御部が家電機器の電力使用量の情報を表示することは、受信する家電機器の電力使用量の情報に基づいて、各家電機器のうち、動作中の家電機器と、動作予定の家電機器とを区別して表示することを含む。
【０００９】
一実施形態によると、制御部の電力情報受信部が家電機器の電力使用量の情報を受信することは、電力制御システムの制御装置から、起動が検知された家電機器の電力使用量の情報を受信することを含む。表示制御部が家電機器の電力使用量の情報を表示することは、起動が検知された家電機器の電力使用量の情報を表示部に表示することを含む。
【００１０】
一実施形態によると、制御部の指定受付部が入力操作を操作受付部により受け付けることは、各家電機器について、系統の停電中に動作させるか、停電の復旧後に動作させるかの指定を受け付けることを含む。指定送信部が指定の内容を制御装置へ送信することは、家電機器を、系統の停電中に動作させるか、停電の復旧後に動作させるかの指定を制御装置へ送信することを含む。
【００１１】
一実施形態によると、制御部の電力情報受信部は、外部の装置から、系統の停電の終了が見込まれる時を示す停電終了見込情報を受信するように構成されており、表示制御部が家電機器の電力使用量の情報を表示部に表示することは、受信する停電終了見込情報に示される時までの家電機器の電力使用量を表示部に表示することを含む。
【００１２】
一実施形態によると、通信端末は、各家電機器の機能と消費電力とを対応付けた消費電力情報を記憶するように構成されている。制御部の指定受付部が入力操作を受け付けることは、各家電機器の一部の機能を停止させるか否かの指定をする入力操作を受け付けることを含む。表示制御部が家電機器の電力使用量の情報を表示することは、家電機器の一部の機能を停止させる入力操作を指定受付部が受け付けた場合に、消費電力情報に基づいて、一部の機能の停止後の電力使用量の情報を表示部に表示することを含む。指定送信部が指定の内容を制御装置へ送信することは、指定受付部が受け付けた、各家電機器の一部の機能を停止させるか否かの指定を制御装置へ送信することを含む。
【００１３】
一実施形態によると、表示制御部が家電機器の電力使用量の情報を表示することは、各家電機器の電力使用量を、時間軸に沿って表示部に表示することを含む。指定受付部が入力操作を受け付けることは、各家電機器の少なくとも一部の動作を停止させるか否かの指定を、動作を停止させる時間帯と対応付けて操作受付部により受け付けることを含む。指定送信部が指定の内容を制御装置へ送信することは、指定受付部が受け付けた、各家電機器の少なくとも一部の動作を停止させるか否かと、動作を停止させる時間帯との指定を制御装置へ送信することを含む。
【００１４】
別の実施形態によると、蓄電池、複数の家電機器および制御装置からなる電力制御システムにおいて電力の供給を制御するための方法が提供される。この方法は、電力制御システムを構成する制御装置が、系統が停電した場合に、蓄電池の残量の情報と、各家電機器の電力使用量の情報とを通信端末へ送信するステップと、通信端末が、制御装置から蓄電池の残量の情報と、各家電機器の電力使用量の情報とを受信するステップと、通信端末が、受信した蓄電池の残量の情報および家電機器の電力使用量の情報をディスプレイに表示するステップと、通信端末が、各家電機器の少なくとも一部の動作を制限するか否かを指定する入力操作を操作受付部により受け付けるステップと、通信端末が、受け付けた指定の内容を制御装置へ送信するステップと、制御装置が、通信端末から、各家電機器の少なくとも一部の動作を制限するか否かの指定を受信するステップと、制御装置が、受け付けた指定に従って、各家電機器の少なくとも一部の動作を制限するステップとを含む。
【００１５】
別の実施形態によると、通信端末の動作を制御するためのプログラムが提供される。通信端末は、プロセッサと、メモリとを備え、系統が停電した場合に、電力制御システムに含まれる複数の家電機器の少なくとも一部の動作を制限するように構成されている。プログラムは、プロセッサに、系統が停電した場合に、蓄電池の残量の情報と、各家電機器の電力使用量の情報とを電力制御システムから受信するステップと、受信した蓄電池の残量の情報および家電機器の電力使用量の情報とをディスプレイに表示するステップと、各家電機器の少なくとも一部の動作を制限するか否かを指定する入力操作を受け付けるステップと、受け付けた指定の内容を電力制御システムへ送信するステップとを実行させる。
【発明の効果】
【００１６】
一実施形態によると、停電が発生した場合に、ユーザにとって動作してほしい家電機器の機能を優先して、蓄電池の限られた電力で家電機器を動作させることができる。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】実施の形態１の電力制御システム１の構成を概略的に示すブロック図である。
【図２】サーバ１００の構成を示すブロック図である。
【図３】ＨＥＭＳコントローラ７００の構成を示すブロック図である。
【図４】実施の形態１の通信端末１０の外観および構成を概略的に示す図である。
【図５】通信端末１０に記憶される電力使用量情報１５２のデータ構造を示す図である。
【図６】ＨＥＭＳコントローラ７００が、系統に停電が発生した場合に通信端末１０へ情報を送信し、通信端末１０がユーザの指定に応じて家電機器の少なくとも一部の動作を制限する操作を受け付ける処理を示すフローチャートである。
【図７】通信端末１０の画面の表示例、および、動作を制限する家電機器８００を指定する操作の例を示す図である。
【図８】新たに起動する家電機器の動作可否の指定を受け付ける画面の表示の例を示す図である。
【図９】家電機器を、停電中に動作させるか、停電の終了後に動作させるかの指定を受け付ける画面の表示の例を示す。
【図１０】系統の停電が終了すると見込まれる時の情報を通信端末１０が取得できない場合と、取得できる場合との画面の表示の例を示す。
【図１１】家電機器８００の一部の機能を停止させるか否かの指定を受け付ける画面の表示の例を示す。
【図１２】家電機器８００の電力使用量と、時間軸とを対応付けてディスプレイ１４２に表示する画面の例を示す。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜実施の形態１＞
図１は、実施の形態１の電力制御システム１の構成を概略的に示すブロック図である。図１を参照して、電力制御システム１には、例えば、ＨＥＭＳコントローラ７００と、家電機器８００と、蓄電池８３０が配置されている。ブロードバンドルータ６００、サーバ１００等の各装置は、インターネット９００に接続されている。
【００２１】
ブロードバンドルータ６００とＨＥＭＳコントローラ７００とは、建屋の中に配置されている。建屋には、屋外の屋根部分に、複数の太陽電池モジュールを含む太陽電池モジュール８１０が配置されている。パワーコンディショナ８２０、蓄電池８３０も屋外に配置されている。
【００２２】
建屋の屋内には、分電盤８５０、マルチエネルギーモニタ８６０、多回路ＣＴ（Current  Transformer）センサ８７０、複数の家電機器（エアコンディショナ８０１、空気清浄機８０２、冷蔵庫８０３および洗濯機８０４など）を含む家電機器８００、タップ８８０が配置されている。
【００２３】
通信端末１０は、例えばスマートフォン、タブレット、ラップトップ型のＰＣ（Personal  Computer）、ファブレット（通話機能を有し、通常、スマートフォンより大きい画面サイズを有している）などであり、通信機能を有する電子機器である。通信端末１０は、例えば、移動体通信システムの通信方式に対応しており、無線基地局９１０と通信することでインターネット９００と接続する。通信端末１０は、例えば、ＨＥＭＳコントローラ７００が設置される建屋のユーザが操作する端末である。通信端末１０は、インターネット９００を介してＨＥＭＳコントローラ７００と通信することができる。
【００２４】
サーバ１００は、大容量の記憶装置を備えるコンピュータシステムであり、停電に関する情報（停電開始時間、停電終了時刻、停電残り時間など）を取得する。サーバ１００は、各建屋に配置されるＨＥＭＳコントローラ７００からの要求に応じて、あるいは停電が生じたときに自動的に、停電に関する情報を、各建屋のＨＥＭＳコントローラ７００へ送信する。
【００２５】
ＣＴセンサ８７０は、ＣＴセンサ８７０を設置する対象の機器の消費電力を測定し、測定した消費電力のデータをＨＥＭＳコントローラ７００へ送信する。実施の形態１では、ＣＴセンサ８７０は、分電盤８５０の主幹ブレーカーと分岐ブレーカーとに接続することができる。ＣＴセンサ８７０を分電盤８５０の主幹ブレーカーに接続した場合、ＣＴセンサ８７０は、建屋全体の消費電力を測定する。また、分岐ブレーカーが部屋全体に対応したものであると、ＣＴセンサ８７０を分電盤８５０の分岐ブレーカーに接続することで、ＣＴセンサ８７０は、部屋全体の消費電力を測定する。
【００２６】
タップ８８０は、家電機器８００の消費電力を測定する消費電力測定器であり、消費電力の測定結果を、ＨＥＭＳコントローラ７００へ無線通信によって送信する。タップ８８０は、図示しないプラグを備え、建屋内のコンセントと接続する。タップ８８０に接続される各家電機器（例えば、エアコンディショナ８０１、空気清浄機８０２、冷蔵庫８０３および洗濯機８０４など）は、タップ８８０とコンセントとが接続されることで、分電盤８５０から給電される。
【００２７】
ブロードバンドルータ６００は、インターネット９００と接続されており、ＩＥＥＥ（Institute  of  Electrical  and  Electronic  Engineers）８０２．１１などの規格に対応した無線ＬＡＮ（Local  Area  Network）機能を備えて他の通信機器と無線通信を行う。ブロードバンドルータ６００は、ＬＡＮ規格に対応して有線により他の通信機器と接続しており、ＨＥＭＳコントローラ７００およびマルチエネルギーモニタ８６０と有線により接続される。パワーコンディショナ８２０、マルチエネルギーモニタ８６０、ブロードバンドルータ６００およびＨＥＭＳコントローラ７００は、有線により接続されており、互いに通信をすることができる。
【００２８】
ＨＥＭＳコントローラ７００は、有線ＬＡＮによりブロードバンドルータ６００と接続されている。ＨＥＭＳコントローラ７００は、無線通信機能を有しており、例えばＣＴセンサ８７０およびタップ８８０等の機器と無線通信し、これらの機器から、各機器の消費電力の測定結果、および、建屋全体の消費電力の測定結果などを受信して記憶する。ＨＥＭＳコントローラ７００は、各機器の消費電力や建屋全体の消費電力を可視化するため、これら消費電力の測定結果を、ブロードバンドルータ６００を経由してマルチエネルギーモニタ８６０へ送信する。
【００２９】
マルチエネルギーモニタ８６０は、太陽光発電システム、蓄電池システムなどの複数のエネルギーシステムの運転状況を表示して、様々な機器の稼働状況をユーザが容易に制御することを可能とするためのモニター装置である。マルチエネルギーモニタ８６０は、パワーコンディショナ８２０と接続されている。
【００３０】
パワーコンディショナ８２０には、蓄電池８３０と、太陽電池モジュール８１０とが接続されている。パワーコンディショナ８２０は、系統から建屋の分電盤８５０へ電力を供給する。パワーコンディショナ８２０は、太陽電池モジュール８１０で発電された直流電力を、建屋で使用できる交流電力に変換する機能を有しており、太陽電池モジュール８１０で発電された電力を、建屋の分電盤８５０または蓄電池８３０へ供給し、また、太陽電池モジュール８１０で発電された電力を、電力量計を通じて外部に売電する。また、パワーコンディショナ８２０は、蓄電池８３０への充電および蓄電池８３０からの放電を制御する。
【００３１】
ＨＥＭＳコントローラ７００は、系統で停電が発生した場合に、サーバ１００から、停電に関する情報を取得して、取得した情報に基づいて、蓄電池８３０に蓄えられている電力を効率的に家電機器８００の動作に使用することができる。ＨＥＭＳコントローラ７００は、建屋内の各機器から、消費電力の測定結果を受信する。また、ＨＥＭＳコントローラ７００は、家電機器８００と通信することにより、各家電機器の電力使用量に関する情報（例えば、家電機器が動作を予定している時間、家電機器の各機能の種別、家電機器の各機能の消費電力などを含む。詳しくは後述する）を取得する。ＨＥＭＳコントローラ７００は、各家電機器と通信して、各家電機器の、少なくとも一部の動作を制御する。ＨＥＭＳコントローラ７００は、ブロードバンドルータ６００およびマルチエネルギーモニタ８６０を経由してパワーコンディショナ８２０の動作を制御することができる。
【００３２】
＜サーバ１００の構成＞
図２は、サーバ１００の構成を示すブロック図である。図２を参照して、サーバ１００は、通信部１９２と、記憶部１９６と、制御部１９７とを含む。
【００３３】
通信部１９２は、サーバ１００が他の通信機器と信号を送受信するための変復調処理などを行う通信インタフェースである。
【００３４】
記憶部１９６は、フラッシュメモリ、ＨＤＤ（Hard  Disk  Drive）、ＲＡＭ（Random  Access  Memory）等により構成され、サーバ１００が使用するプログラムを記憶し、サーバ１００が使用する各種のデータを蓄積する。ある局面において、記憶部１０６は、停電終了時刻情報１９９を記憶する。停電終了時刻情報１９９は、系統で停電が発生した場合に、停電が終了すると見込まれる時刻の情報である。例えば、サーバ１００は、系統の停電が発生した場合に、停電が終了すると見込まれる時刻を、電力会社や公的機関などからネットワーク９００を介して取得する。
【００３５】
制御部１９７は、記憶部１０６に記憶される制御プログラムを読み込んで実行することにより、サーバ１００の動作を制御する。制御部１９７は、例えば複数のプロセッサにより実現される。制御部１９７は、プログラムに従って動作することにより、停電終了時刻送信部１９８としての機能を発揮する。
【００３６】
停電終了時刻送信部１９８は、系統で停電が発生した場合に、電力会社等から停電が終了すると見込まれる時刻を取得して、取得した停電終了時刻情報１９９を、各建屋のＨＥＭＳコントローラ７００に対して送信する。停電終了時刻送信部１９８は、系統で停電が発生した場合に自動的に、または、各建屋のＨＥＭＳコントローラ７００からの要求に応じて、停電終了時刻情報１９９を各建屋のＨＥＭＳコントローラ７００へ送信する。
【００３７】
＜ＨＥＭＳコントローラ７００の構成＞
図３は、ＨＥＭＳコントローラ７００の構成を示すブロック図である。
【００３８】
図３を参照して、ＨＥＭＳコントローラ７００は、アンテナ７０１と、無線通信部７０２と、操作受付部７０３と、記憶部７０４と、発光部７０５と、有線通信部７０６と、制御部７０７とを含む。
【００３９】
アンテナ７０１は、ＨＥＭＳコントローラ７００が発する信号を電波として放射する。また、アンテナ７０１は、空間から電波を受信して受信信号を無線通信部７０２へ与える。
【００４０】
無線通信部７０２は、ＨＥＭＳコントローラ７００が他の通信機器と無線通信するため、信号を送受信するための変復調処理などを行う通信インタフェースである。ＨＥＭＳコントローラ７００は、例えば、無線ＬＡＮ規格、Ｂｌｕｅｔｏｏｔｈ（登録商標）などの近距離無線通信の規格に対応しており、通信規格に従って、家電機器８００と通信する。ＨＥＭＳコントローラ７００と、家電機器８００とは、家電機器の遠隔操作をするための規格に対応している。ＨＥＭＳコントローラ７００は、家電機器８００と通信することにより、家電機器８００が動作中であることを示す情報を受信する。また、家電機器８００が動作開始の時刻を予約している場合は、ＨＥＭＳコントローラ７００は、動作を予定している時間帯の情報を家電機器８００から受信する。また、ＨＥＭＳコントローラ７００は、家電機器８００と通信することにより、家電機器８００に対し、少なくとも一部の動作を制限する指示を送信する。家電機器８００は、ＨＥＭＳコントローラ７００と通信し、ＨＥＭＳコントローラ７００からの指示に従って、機能を停止または実行する。
【００４１】
操作受付部７０３は、例えば入力操作を受け付けるためのボタンなどの操作部材により構成されており、ユーザの入力操作を受け付けて、受け付けた入力操作を制御部７０７へ出力する。
【００４２】
記憶部７０４は、フラッシュメモリ、ＲＡＭ等により構成され、ＨＥＭＳコントローラ７００が使用するプログラム、および、データを記憶する。ある局面において、記憶部７０４は、蓄電池残量情報７４１と、電力使用量情報７４２と、停電終了見込情報７４３とを記憶する。蓄電池残量情報７４１は、蓄電池８３０に充電されている電力の情報である。電力使用量情報７４２は、ＨＥＭＳコントローラ７００が設置される施設（建屋）における、家電機器８００の電力使用量に関する情報である。停電終了見込情報７４３は、ＨＥＭＳコントローラ７００がサーバ１００から取得する、系統の停電が終了すると見込まれる時刻の情報である。
【００４３】
発光部７０５は、ＬＥＤ（Light  Emitting  Diode）などの発光部材を備え、制御部７０７の制御に従って発光することで、ＨＥＭＳコントローラ７００の外部に情報を通知する。ＨＥＭＳコントローラ７００は、発光部７０５を発光させることにより、例えば、ＨＥＭＳコントローラ７００が通信中であること、系統に停電が発生していること等を外部へ通知する。
【００４４】
有線通信部７０６は、ＨＥＭＳコントローラ７００が他の通信機器と有線により通信するための変復調処理などを行う通信インタフェースである。ＨＥＭＳコントローラ７００は、有線通信部７０６によりブロードバンドルータ６００と接続されており、ブロードバンドルータ６００を介して、マルチエネルギーモニタ８６０、パワーコンディショナ８２０、サーバ１００などの通信機器と通信する。
【００４５】
制御部７０７は、記憶部７０４に記憶される制御プログラムを読み込んで実行することにより、ＨＥＭＳコントローラ７００の動作を制御する。制御部７０７は、プロセッサにより実現される。制御部７０７は、プログラムに従って動作することにより、電力情報送信部７７１と、指定受信部７７２と、動作制限部７７３と、停電終了見込受信部７７４としての機能を発揮する。
【００４６】
電力情報送信部７７１は、系統が停電したことをＨＥＭＳコントローラ７００が検知した場合に、蓄電池８３０の残量の情報である蓄電池残量情報７４１と、家電機器８００の電力使用量の情報（電力使用量情報７４２）とを通信端末１０へ送信する。
【００４７】
指定受信部７７２は、通信端末１０から、家電機器８００の少なくとも一部の動作を制限するか否かの指定を受信する。
【００４８】
動作制限部７７３は、通信端末１０から受け付けた指定に従って、家電機器８００の少なくとも一部の動作を制限する。
【００４９】
停電終了見込受信部７７４は、サーバ１００から、系統の停電の終了が見込まれる時刻を示す情報を受信して、受信した情報を停電終了見込情報７４３として記憶部７０４に記憶させる。
【００５０】
＜通信端末１０の構成＞
図４は、実施の形態１の通信端末１０の外観および構成を概略的に示す図である。図４（Ａ）は、通信端末１０の外観を示す図である。図４（Ｂ）は、通信端末１０の構成を示すブロック図である。
【００５１】
図４（Ａ）に示すように、通信端末１０は、正面に操作受付部（タッチパネル）１４１と、ディスプレイ１４２とを備える。通信端末１０の筐体に、ディスプレイ１４２と、操作受付部１４１と、カバーガラスとが積層されてはめ込まれている。操作受付部１４１は、ユーザの指やスタイラスペンなどの接触を検出する。ディスプレイ１４２は、描画のための信号に基づき、文字入力のための仮想キーボード、アイコン、静止画、動画、および映像などを表示する。スピーカ１４８は、音声を出力する。物理操作キー１３１は、物理的な入力部材であり、ユーザが入力部材を押下する操作を検出して入力操作として受け付ける。
【００５２】
図４（Ｂ）に示すように、通信端末１０は、アンテナ１０１と、無線通信部１１１と、物理操作キー１３１と、加速度センサ１３２と、操作受付部１４１と、ディスプレイ１４２と、電源制御部１４４と、バッテリ１４５と、音声処理部１４６と、マイク１４７と、スピーカ１４８と、記憶部１５０と、制御部１６０とを含む。
【００５３】
アンテナ１０１は、通信端末１０が発する信号を電波として放射する。また、アンテナ１０１は、空間から電波を受信して受信信号を無線通信部１１１へ与える。本実施形態では、通信端末１０は、複数の無線通信規格に対応している。通信方式として、Ｗ−ＣＤＭＡ（Wideband  Code  Division  Multiple  Access）、ＬＴＥ（Long  Term  Evolution）、その他の通信方式がある。また、通信端末１０は、ＩＥＥＥ（Institute  of  Electrical  and  Electronic  Engineers）８０２．１１などの無線ＬＡＮ規格にも対応する。
【００５４】
無線通信部１１１は、通信端末１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、通信端末１０が送受信する無線信号の変復調や周波数変換を行い、受信信号を制御部１６０へ与える。
【００５５】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００５６】
加速度センサ１３２は、通信端末１０の傾きを、重力方向の加速度として検出するためのセンサであり、例えば３軸加速度センサである。加速度センサ１３２は、検出した３軸の加速度を制御部１６０へ出力する。
【００５７】
記憶部１５０は、例えばフラッシュメモリ等により構成され、通信端末１０が使用するデータおよびプログラムを記憶する。ある局面において、記憶部１５０は、蓄電池残量情報１５１と、電力使用量情報１５２と、停電終了見込情報１５３とを記憶する。蓄電池残量情報１５１は、蓄電池８３０に蓄積された電力の残量を示す情報である。電力使用量情報１５２は、家電機器８００の電力使用量に関する情報である。停電終了見込情報１５３は、系統の停電が終了すると見込まれる時刻の情報である。
【００５８】
操作受付部１４１は、ユーザの入力操作を受け付ける。操作受付部１４１は、例えば静電容量方式のものを用いることによって、ユーザの接触位置を検出する。操作受付部１４１は、検出したユーザの接触位置を示す信号を入力操作として制御部１６０へ出力する。通信端末１０は、タッチパネルが検出する信号に基づき、ユーザの入力操作を分類する。例えば、通信端末１０は、ユーザの入力操作がタッチ操作であるか、フリック操作であるかを検出する。本実施形態では、タッチ操作とは、ユーザの接触位置がユーザの指の大きさに応じた一定範囲に留まる操作である。また、フリック操作とは、ユーザが指をはじくように動かす操作であり、ユーザの接触位置を検出してから、接触位置が一定方向に一定の範囲で検出される操作である。
【００５９】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００６０】
電源制御部１４４は、通信端末１０の各回路に対する電力の供給を制御する。電源制御部１４４は、例えば電源制御用ＩＣ（Integrated  Circuit）である。バッテリ１４５は、通信端末１０の各回路を動作させるための電力を供給する供給源である。バッテリ１４５からの電力は、電源制御部１４４の制御に従って各回路へ供給される。音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を通信端末１０の外部へ出力する。
【００６１】
制御部１６０は、記憶部１５０に記憶される制御プログラムを読み込んで、当該制御プログラムに含まれる命令を実行することにより、通信端末１０の動作を制御する。制御部１６０は、例えばアプリケーションプロセッサである。制御部１６０は、プログラムに従って動作することにより、電力情報受信部１６１と、表示制御部１６２と、指定受付部１６３と、指定送信部１６４としての機能を発揮する。
【００６２】
電力情報受信部１６１は、系統が停電した場合に、無線通信部１１１によりＨＥＭＳコントローラ７００から蓄電池８３０の残量の情報と、家電機器８００の電力使用量の情報とを受信する。電力情報受信部１６１は、受信した蓄電池８３０の残量の情報を蓄電池残量情報１５１として記憶部１５０に記憶させ、受信した家電機器８００の電力使用量の情報を電力使用量情報１５２として記憶部１５０に記憶させる。電力情報受信部１６１は、系統の停電の終了が見込まれる時刻の情報を、例えばＨＥＭＳコントローラ７００等の外部の装置から受信して、停電終了見込情報１５３として記憶部１５０に記憶させる。
【００６３】
表示制御部１６２は、ＨＥＭＳコントローラ７００から受信した、蓄電池８３０の残量の情報（蓄電池残量情報１５１）および家電機器８００の電力使用量の情報（電力使用量情報１５２）とをディスプレイ１４２に表示する。
【００６４】
指定受付部１６３は、家電機器８００の少なくとも一部の動作を制限するか否かを指定する入力操作を、操作受付部１４１によりユーザから受け付ける。
【００６５】
指定送信部１６４は、指定受付部１６３により受け付けた、ユーザによる指定の内容をＨＥＭＳコントローラ７００へ送信する。
【００６６】
＜データ構造＞
図５は、通信端末１０に記憶される電力使用量情報１５２のデータ構造を示す図である。
【００６７】
図５を参照して、電力使用量情報１５２の１件のレコードは、家電機器識別情報１５２Ａと、実行時間１５２Ｂと、機能１５２Ｃと、消費電力１５２Ｄとを対応付けたものであり、各家電機器が動作をする時刻、動作させる機能、および消費電力を対応付けたものである。
【００６８】
家電機器識別情報１５２Ａは、建屋に配置される各家電機器を識別するための情報である。実行時間１５２Ｂは、各家電機器の動作が予定されている時間を示す。これら各家電機器の動作が予定されている時間の情報は、例えば、ＨＥＭＳコントローラ７００が家電機器８００と通信することでＨＥＭＳコントローラ７００が取得する。なお、図５において、実行時間１５２Ｂにおいて、家電機器が常に動作していることが予定されている場合は、動作が予定されている時間ではなく、実行時間「常時動作」と示している。機能１５２Ｃは、家電機器８００の機能を識別するための情報である。消費電力１５２Ｄは、家電機器８００の機能ごとの消費電力を示す。
【００６９】
＜動作＞
図６は、ＨＥＭＳコントローラ７００が、系統に停電が発生した場合に通信端末１０へ情報を送信し、通信端末１０がユーザの指定に応じて家電機器の少なくとも一部の動作を制限する操作を受け付ける処理を示すフローチャートである。
【００７０】
図６に示す処理は、例えば、ステップＳ７０１に示すように、ＨＥＭＳコントローラ７００が、サーバ１００等の外部の装置から、系統で停電が発生したことの通知を受信するか、系統から建屋へ供給される電力の大きさを監視することにより系統で停電が発生したことを検知することによりアプリケーションが起動することで開始される。なお、系統で停電が発生した際、ＨＥＭＳコントローラ７００は、蓄電池８３０から供給される電力、または内蔵する充電池の電力等により動作する。
【００７１】
ステップＳ７０１において、ＨＥＭＳコントローラ７００の制御部７０７は、サーバ１００に対し、消費電力の時間変化を予測した表示制御部１６２をＨＥＭＳコントローラ７００へ送信するよう要求する。
【００７２】
ステップＳ７０３において、制御部７０７は、パワーコンディショナ８２０の残量の情報を取得して蓄電池残量情報７４１として記憶部７０４に記憶させる。制御部７０７は、家電機器８００と通信して家電機器８００の電力使用量に関する情報を家電機器８００から受信して電力使用量情報７４２として記憶部７０４に記憶させる。
【００７３】
ステップＳ７０５において、制御部７０７は、例えばサーバ１００から、系統の停電が終了すると見込まれる時を示す情報を受信することにより停電終了見込情報７４３を生成する。
【００７４】
ステップＳ７０７において、制御部７０７は、蓄電池残量情報７４１、電力使用量情報７４２及び停電終了見込情報７４３を通信端末１０へ送信する。
【００７５】
ステップＳ１０１において、制御部１６０は、ＨＥＭＳコントローラ７００から蓄電池８３０の残量に関する情報、家電機器８００の電力使用量に関する情報、及び系統の停電が終了すると見込まれる時を示す情報を受信して、それぞれ蓄電池残量情報１５１、電力使用量情報１５２および停電終了見込情報１５３として記憶部１５０に記憶させる。
【００７６】
ステップＳ１０３において、制御部１６０は、蓄電池残量情報１５１と、電力使用量情報１５２と、停電終了見込情報１５３とに基づいて、系統の停電が見込まれる時間内の、蓄電池８３０の残量と、家電機器８００の電力使用量の情報とをディスプレイ１４２に表示する。制御部１６０は、家電機器８００の少なくとも一部の動作を制限するか否かのユーザの指定を操作受付部１４１によって受け付ける。
【００７７】
ステップＳ１０５において、制御部１６０は、家電機器８００の少なくとも一部の動作を制限するか否かのユーザの指定の内容をＨＥＭＳコントローラ７００へ送信する。制御部１６０は、ユーザの指定の内容に応じて、ディスプレイ１４２に表示する家電機器８００の電力使用量の情報を更新する。
【００７８】
ステップＳ７０９において、制御部７０７は、家電機器８００の少なくとも一部の動作を制限するか否かのユーザの指定の内容を通信端末１０から受信し、指定に従って、家電機器８００の少なくとも一部の動作を制限する。
【００７９】
＜画面の表示例＞
以上のように通信端末１０について説明した。ここで、通信端末１０が、系統が停電した場合に、蓄電池残量情報１５１と、電力使用量情報１５２と、停電終了見込情報１５３とに基づいて、停電が見込まれる時間内において、蓄電池８３０の残量の情報と、家電機器８００の電力使用量の情報とをディスプレイ１４２に表示する処理と、家電機器８００の少なくとも一部の動作を制限するか否かの指定をユーザから受け付ける処理との画面例を説明する。
【００８０】
図７は、通信端末１０の画面の表示例、および、動作を制限する家電機器８００を指定する操作の例を示す図である。
【００８１】
図７の状態（Ａ）に示すように、通信端末１０は、ディスプレイ１４２に、停電の終了が見込まれる時刻を停電終了予定時刻２０１の領域に表示し、蓄電池８３０の残量を蓄電池残量バー２１１として表示し、停電の終了が見込まれる時刻までに家電機器８００が使用する電力（消費電力）を電力使用量バー２１２として表示する。通信端末１０は、蓄電池８３０の残量と、停電の終了が見込まれる時刻までに家電機器８００が使用する電力とをユーザが比較できるよう、電力の大きさに応じて蓄電池残量バー２１１と電力使用量バー２１２とをディスプレイ１４２に表示する。通信端末１０は、電力使用量バー２１２において、各家電機器の消費電力を、冷蔵庫２１２Ａ、レコーダー２１２Ｂ、洗濯機２１２Ｃおよびエアコン２１２Ｄとしてディスプレイ１４２に表示している。各家電機器の消費電力をユーザが把握しやすいように、通信端末１０は、電力使用量情報１５２の消費電力１５２Ｄと、停電が終了すると見込まれる時刻までの各家電機器の動作のタイミングを示す実行時間１５２Ｂとを参照して、各家電機器の消費電力の大きさに応じて、冷蔵庫２１２Ａ、レコーダー２１２Ｂ、洗濯機２１２Ｃおよびエアコン２１２Ｄの大きさを決定する。
【００８２】
また、通信端末１０は、電力使用量バー２１２において、動作中の家電機器と、動作中ではないが停電の終了が見込まれる時刻までに動作が予定される家電機器とを区別した態様で、各家電機器の消費電力をディスプレイ１４２に表示する。状態（Ａ）では、通信端末１０は、動作中の家電機器を示す冷蔵庫２１２Ａおよびレコーダー２１２Ｂと、これから動作が予定される家電機器を示す洗濯機２１２Ｃおよびエアコン２１２Ｄとを区別した態様でディスプレイ１４２に表示する。これにより、通信端末１０は、ユーザに対し、動作中の家電機器と、これから動作する予定の家電機器とを容易に認識させることができる。また、通信端末１０は、動作が終了する時刻の見込みが不明である家電機器については、停電の終了が見込まれるまでの時間における電力使用量に基づき、家電機器の消費電力をディスプレイ１４２に表示する。
【００８３】
状態（Ａ）では、蓄電池残量バー２１１よりも電力使用量バー２１２の方が大きくディスプレイ１４２に表示されており、蓄電池８３０の残量よりも、停電の終了が見込まれる時刻までに家電機器８００が使用する電力の方が大きいことを示している。
【００８４】
図７の状態（Ｂ）に示すように、通信端末１０は、動作を制限する対象となる家電機器８００を指定する入力操作をユーザから操作受付部１４１によって受け付ける。状態（Ｂ）では、ユーザが、動作を停止させる対象として洗濯機を選択している。通信端末１０は、洗濯機２１２Ｃに対する操作（例えば、フリック操作）を検出することで、ユーザが、家電機器の動作を停止させる対象として洗濯機を指定したことを受け付ける。状態（Ａ）および状態（Ｂ）は、図６のステップＳ１０３に対応する。これにより、通信端末１０は、ユーザに対し、容易な操作で、動作を制限する家電機器を選択させることができる。
【００８５】
図７の状態（Ｃ）に示すように、通信端末１０は、電力使用量バー２１２に、冷蔵庫２１２Ａ、レコーダー２１２Ｂおよびエアコン２１２Ｄを含めてディスプレイ１４２に表示する。この処理は、図６のステップＳ１０５に対応する。このように、通信端末１０で動作するアプリケーションにより、停電時に動作を制限する家電機器をユーザが選択することができるため、ユーザが建屋にいても、外出していても、ユーザの判断で家電機器の動作を制限することができる。
【００８６】
＜実施の形態２＞
次に、実施の形態２にかかる、通信端末１０の画面の表示例を説明する。
【００８７】
図８は、新たに起動する家電機器の動作可否の指定を受け付ける画面の表示の例を示す図である。
【００８８】
図８の状態（Ａ）に示すように、通信端末１０は、電力使用量バー２１２において、動作中の家電機器を示す冷蔵庫２１３Ａおよびレコーダー２１３Ｂと、動作が予定される家電機器を示すエアコン２１３Ｄとをディスプレイ１４２に表示している。ここで、ＨＥＭＳコントローラ７００が設置される建屋において、新たに照明装置が起動した場合、ＨＥＭＳコントローラ７００は、電力使用量情報７４２を更新して、電力使用量情報７４２を通信端末１０へ送信する。通信端末１０の制御部１６０は、起動が検知された家電機器８００の電力使用量の情報をＨＥＭＳコントローラ７００から受信する。制御部１６０は、起動が検知された家電機器８００の電力使用量の情報をディスプレイ１４２に表示する。
【００８９】
図８の状態（Ｂ）に示すように、通信端末１０は、電力使用量バー２１２において、動作中の家電機器として、新たに照明装置が起動したことを照明２１３Ｃにより示している。
【００９０】
図８の状態（Ｃ）に示すように、制御部１６０は、新たに起動が検知された家電機器８００の電力使用量の情報と、その起動が検知された家電機器８００を動作させるか否かの指定をユーザから受け付けるため、起動確認画面２１４を表示する。これにより、ユーザは、停電時に起動された家電機器が、停電中に動作させることが望ましいものか否か判断して、家電機器の動作を制御することができる。
【００９１】
＜実施の形態３＞
次に、実施の形態３にかかる、通信端末１０の画面の表示例を説明する。実施の形態３の通信端末１０は、家電機器８００について、系統の停電中に家電機器を動作させるか、停電の復旧後に動作させるかの指定をユーザから受け付ける。通信端末１０は、ユーザの指定に応じて、家電機器を、停電中に動作させるか、停電の復旧後に動作させるかの指定をＨＥＭＳコントローラ７００へ送信する。
【００９２】
図９は、家電機器を、停電中に動作させるか、停電の終了後に動作させるかの指定を受け付ける画面の表示の例を示す。
【００９３】
図９の状態（Ａ）に示すように、通信端末１０は、電力使用量バー２１２において、動作中の家電機器を示す冷蔵庫２１５Ａおよびレコーダー２１５Ｂと、動作が予定される家電機器を示す洗濯機２１５Ｃおよびエアコン２１５Ｄとをディスプレイ１４２に表示している。通信端末１０は、起動時確認画面２１６において、動作予定の家電機器を示すエアコン２１５Ｄについて、停電中に動作させるか、停電の終了後に動作させるかの指定を受け付ける。状態（Ａ）に示すように、通信端末１０は、家電機器を停電中に動作させることの指定を、ボタン「はい」へのタッチ操作で受け付け、停電の終了後に家電機器を動作させることの指定を、ボタン「停電終了後」へのタッチ操作で受け付ける。
【００９４】
状態（Ｂ）に示すように、通信端末１０は、起動時確認画面２１６において、ボタン「停電終了後」へのタッチ操作を受け付けることで、ユーザから、エアコン２１５Ｄに対応する家電機器「エアコン」について、停電の終了後に動作させることの指定を受け付ける。これにより、停電の終了が見込まれる時刻までの間、家電機器「エアコン」が動作しないこととなる。
【００９５】
状態（Ｃ）に示すように、通信端末１０は、電力使用量バー２１２において、動作中の家電機器および動作予定の家電機器を表示する。家電機器「エアコン」については、停電終了後に動作させることがユーザによって指定されているため（状態（Ｂ））、状態（Ｃ）に示すように、電力使用量バー２１２において、家電機器「エアコン」の電力使用量を示すエアコン２１５Ｄは表示されていない。
【００９６】
これにより、通信端末１０は、ユーザに対し、停電中に動作させることが望ましいか、または停電終了後の動作でもよいかを家電機器それぞれについて指定させることができ、容易な操作で、動作を制限する家電機器を選択させることができる。
【００９７】
＜実施の形態４＞
次に、実施の形態４にかかる、通信端末１０の画面の表示例を説明する。実施の形態４の通信端末１０は、系統の停電が終了することが見込まれる時の情報を取得できない場合においても、停電が復旧すると想定される時間を見込んで家電機器８００の電力使用量の情報をディスプレイ１４２に表示する。
【００９８】
図１０は、系統の停電が終了すると見込まれる時の情報を通信端末１０が取得できない場合と、取得できる場合との画面の表示の例を示す。
【００９９】
図１０の状態（Ａ）に示すように、通信端末１０は、電力使用量バー２１２において、動作中の家電機器を示す２１７Ａおよびレコーダー２１７Ｂと、動作が予定される家電機器を示す洗濯機２１７Ｃおよびエアコン２１７Ｄをディスプレイ１４２に表示している。通信端末１０は、ＨＥＭＳコントローラ７００等の外部の装置から、系統の停電の終了が見込まれる時を示す停電終了見込情報を取得していない場合、系統の停電が終了する時刻を設定して、設定した時間内における家電機器８００の電力使用量の情報を電力使用量バー２１２としてディスプレイ１４２に表示する。通信端末１０は、例えば、系統の停電が復旧すると想定される十分な長さの時間を設定して、電力使用量バー２１２をディスプレイ１４２に表示する。
【０１００】
状態（Ｂ）に示すように、通信端末１０は、停電終了見込情報を外部の装置から受信すると、受信した停電終了見込情報に基づいて、停電が見込まれる時間内の、家電機器８００の電力使用量の情報を示す電力使用量バー２１２をディスプレイ１４２に表示する。
【０１０１】
これにより、通信端末１０が停電終了見込情報を取得していない間においても、通信端末１０は、ユーザに対し、容易な操作で、動作を制限する家電機器を選択させることができる。
【０１０２】
＜実施の形態５＞
次に、実施の形態５にかかる、通信端末１０の画面の表示例を説明する。実施の形態５の通信端末１０は、家電機器８００の機能と消費電力とを対応付けた電力使用量情報１５２の機能１５２Ｃおよび消費電力１５２Ｄに基づいて、家電機器８００の一部の機能を停止させるか否かの指定をユーザから受け付ける。
【０１０３】
図１１は、家電機器８００の一部の機能を停止させるか否かの指定を受け付ける画面の表示の例を示す。
【０１０４】
図１１の状態（Ａ）に示すように、通信端末１０は、電力使用量バー２１２において、動作中の家電機器を示す冷蔵庫２１８Ａおよびレコーダー２１８Ｂと、動作が予定されている家電機器を示す洗濯機２１８Ｃおよびエアコン２１８Ｄをディスプレイ１４２に表示している。通信端末１０は、機能実行確認画面２１９において、動作予定の家電機器を示す洗濯機２１８Ｃについて、一部の機能を停止させるか否かの指定を受け付ける。状態（Ａ）に示すように、通信端末１０は、機能実行確認画面２１９において、家電機器「洗濯機」について、機能「乾燥機能」を停止させることの指定をボタン「ＯＦＦ」で受け付け、機能「乾燥機能」を有効にすることの指定をボタン「ＯＮ」で受け付ける。
【０１０５】
状態（Ｂ）に示すように、通信端末１０は、ユーザから、家電機器「洗濯機」について、機能「乾燥機能」を停止させることの指定を、ボタン「ＯＦＦ」へのタッチ操作により受け付ける。
【０１０６】
状態（Ｃ）に示すように、通信端末１０は、家電機器「洗濯機」について、機能の一部を停止させることの指定を受け付けて、停電が見込まれる期間内における家電機器「洗濯機」の電力使用量が低下したことを洗濯機２１８Ｃにより示す。
【０１０７】
これにより、通信端末１０は、ユーザに対し、家電機器で動作させたい機能を確認させつつ、容易な操作で、動作を制限する家電機器を選択させることができる。
【０１０８】
＜実施の形態６＞
次に、実施の形態６にかかる、通信端末１０の画面の表示例を説明する。実施の形態６の通信端末１０は、家電機器８００の電力使用量を、時間軸に沿ってディスプレイ１４２に表示し、ユーザから、家電機器８００の少なくとも一部の機能を停止させるか否かの指定を、機能を停止させる時間帯と対応付けて受け付ける。
【０１０９】
図１２は、家電機器８００の電力使用量と、時間軸とを対応付けてディスプレイ１４２に表示する画面の例を示す。
【０１１０】
図１２の状態（Ａ）に示すように、通信端末１０は、電力使用量バー２１２において、動作中の家電機器を示す冷蔵庫２２０Ａおよびレコーダー２２０Ｂと、動作が予定される家電機器を示す洗濯機２２０Ｃおよびエアコン２２０Ｄをディスプレイ１４２に表示している。通信端末１０は、電力使用量バー２１２に示される家電機器８００の電力使用量の情報を、時間軸に沿ってディスプレイ１４２に表示する。状態（Ａ）の例では、通信端末１０は、現在時刻から停電の終了が見込まれる時刻までの間に、動作中の家電機器である家電機器「冷蔵庫」の電力使用量を冷蔵庫２２１Ａとしてディスプレイ１４２に表示する。通信端末１０は、家電機器「レコーダー」の電力使用量を、レコーダー２２１Ｂおよびレコーダー２２１Ｃとしてディスプレイ１４２に表示する。すなわち、家電機器「レコーダー」は、現在時刻において再生機能を発揮しており、その後、一定期間、機能を停止し、その後に録画機能を動作させることが予定されている。通信端末１０は、家電機器「洗濯機」の電力使用量を、洗濯機２２１Ｄとしてディスプレイ１４２に表示する。通信端末１０は、家電機器「エアコン」の電力使用量を、エアコン２２１Ｅとしてディスプレイ１４２に表示する。通信端末１０は、このようにディスプレイ１４２に表示する冷蔵庫２２１Ａ、レコーダー２２１Ｂ、レコーダー２２１Ｃ、洗濯機２２１Ｄおよびエアコン２２１Ｅに対するタッチ操作等に基づいて、各家電機器を動作させるか否かを、時間帯を指定してユーザから受け付ける。
【０１１１】
この状態（Ａ）において、通信端末１０は、ユーザから、レコーダー２２１Ｂおよび洗濯機２２１Ｄに示す家電機器の動作を停止させる指定を受け付けたとする。この場合、状態（Ｂ）に示すように、通信端末１０は、受け付けた指定を反映させて、電力使用量バー２１２において、停電が終了すると見込まれる時間内における家電機器８００の電力使用量を表示する。すなわち、通信端末１０は、ユーザが、家電機器「レコーダー」については、再生機能は停止してもよいが、例えば予め録画予約しておいた番組についての録画機能は停電中も動作させる、との指定を受け付けている。
【０１１２】
これにより、通信端末１０は、ユーザに対し、時間軸に沿って、家電機器８００の電力使用量を確認させることができ、容易な操作で、動作を制限する家電機器を選択させることができる。例えば、通信端末１０が、家電機器「レコーダー」による録画の対象となる番組の配信時刻または放送時刻を示す番組表情報を取得できる場合は、家電機器「レコーダー」が停電中に録画しようとしている番組が何かを番組表情報に基づいてディスプレイ１４２に表示させることで、ユーザに対し、家電機器８００の動作を制限するか否かの判断を容易にさせることができる。
【０１１３】
＜まとめ＞
上記のように、実施の形態１から実施の形態６の電力制御システムについて説明した。これらの各実施の形態を組み合わせることとしてもよい。各実施の形態で説明したように、実施の形態に係る電力制御システムを構成する通信端末１０およびＨＥＭＳコントローラ７００は、プロセッサと、その上で実行されるプログラムにより実現される。本実施の形態を実現するプログラムは、通信インタフェースを介してネットワークを利用した送受信等により提供される。各実施の形態で説明した電力制御システム、および電力制御システムを構成するＨＥＭＳコントローラ７００と通信端末１０とは、以下の構成を有する。
【０１１４】
（１）電力の供給を制御するための電力制御システム１が提供される。電力制御システム１は、蓄電池８３０と、系統および蓄電池８３０の少なくともいずれかから電力の供給を受けて動作する家電機器８００と、通信インタフェースを介した通信により、家電機器８００の電力使用量を管理するＨＥＭＳコントローラ７００とを備える。ＨＥＭＳコントローラ７００は、系統が停電した場合に、蓄電池残量情報７４１と、電力使用量情報７４２とを通信端末１０へ送信する電力情報送信部７７１と、通信端末１０から、家電機器８００の少なくとも一部の動作を制限するか否かの指定を受信する指定受信部７７２と、受け付けた指定に従って、家電機器８００の少なくとも一部の動作を制限する動作制限部動作制限部７７３とを含む。
【０１１５】
これにより、系統の停電が発生した場合に、ユーザにとって動作してほしい家電機器の機能を優先して、蓄電池の限られた電力で家電機器を動作させることができる。
【０１１６】
（２）系統が停電した場合に、電力制御システム１に含まれる家電機器８００の少なくとも一部の動作を制限するための通信端末１０が提供される。電力制御システム１は、蓄電池８３０と、系統および蓄電池８３０の少なくともいずれかから電力の供給を受けて動作する家電機器８００と、通信インタフェースを介した通信により家電機器８００の電力使用量を管理するＨＥＭＳコントローラ７００とを含む。通信端末１０は、ＨＥＭＳコントローラ７００とネットワークを介して通信するように構成された無線通信部１１１と、入力操作を受け付けるように構成された操作受付部１４１と、ディスプレイ１４２と、通信端末１０の動作を制御するように構成された制御部１６０とを含む。制御部１６０は、系統が停電した場合に、無線通信部１１１によりＨＥＭＳコントローラ７００から蓄電池８３０の残量の情報と、家電機器８００の電力使用量の情報とを受信する電力情報受信部１６１と、受信した蓄電池残量情報１５１および電力使用量情報１５２とをディスプレイ１４２に表示する表示制御部１６２と、家電機器８００の少なくとも一部の動作を制限するか否かを指定する入力操作を操作受付部１４１により受け付ける指定受付部１６３と、受け付けた指定の内容をＨＥＭＳコントローラ７００へ送信する指定送信部指定送信部１６４とを含む。
【０１１７】
これにより、系統の停電が発生した場合に、ユーザにとって動作してほしい家電機器の機能を、ユーザが容易に選択することができ、蓄電池の限られた電力で家電機器を効率よく動作させることができる。
【０１１８】
（３）上記の（２）において、制御部１６０の表示制御部１６２が電力使用量情報１５２を表示することは、受信する家電機器８００の電力使用量の情報に基づいて、家電機器８００のうち、動作中の家電機器と、動作予定の家電機器とを区別して表示することを含む。
【０１１９】
これにより、通信端末は、系統の停電が発生した場合に、ユーザに対し、家電機器が動作しているか、またはこれから動作を予定しているかに応じて、ユーザにとって動作してほしい家電機器の機能を選択させることができる。
【０１２０】
（４）上記の（２）において、制御部１６０の電力情報受信部１６１が家電機器８００の電力使用量の情報を受信することは、電力制御システム１のＨＥＭＳコントローラ７００から、起動が検知された家電機器８００の電力使用量の情報を受信することを含む。表示制御部１６２が電力使用量情報１５２を表示することは、起動が検知された家電機器８００の電力使用量の情報をディスプレイ１４２に表示することを含む。
【０１２１】
これにより、通信端末は、系統の停電が発生した場合に、起動が検知された家電機器があると、起動が検知された家電機器の電力使用量の情報を表示することができ、家電機器の起動状況の変化に応じて、動作を制限する家電機器をユーザに容易に選択させることができる。
【０１２２】
（５）上記の（２）において、制御部１６０の指定受付部１６３が入力操作を操作受付部１４１により受け付けることは、家電機器８００のうち、動作予定の家電機器について、系統の停電中に動作させるか、停電の復旧後に動作させるかの指定を受け付けることを含む。指定送信部１６３が指定の内容をＨＥＭＳコントローラ７００へ送信することは、動作予定の家電機器を、系統の停電中に動作させるか、停電の復旧後に動作させるかの指定をＨＥＭＳコントローラ７００へ送信することを含む。
【０１２３】
これにより、通信端末は、ユーザに対し、停電中に動作させることが望ましいか、または停電終了後の動作でもよいかを家電機器それぞれについて指定させることができ、容易な操作で、動作を制限する家電機器を選択させることができる。
【０１２４】
（６）上記の（２）において、制御部１６０の電力情報受信部１６１は、外部の装置から、系統の停電の終了が見込まれる時を示す停電終了見込情報１５３を受信するように構成されている。表示制御部１６２が電力使用量情報１５２をディスプレイ１４２に表示することは、受信する停電終了見込情報１５３に示される時までの家電機器８００の電力使用量をディスプレイ１４２に表示することを含む。
【０１２５】
これにより、通信端末は、停電終了見込情報を取得している場合、停電が終了するまでの各家電機器の電力使用量を、より正確にユーザに提示することができる。
【０１２６】
（７）上記の（２）において、通信端末１０は、家電機器８００の機能１５２Ｃと消費電力１５２Ｄとを対応付けた消費電力情報を記憶するように構成されている。制御部１６０の指定受付部１６３が入力操作を受け付けることは、家電機器８００の一部の機能を停止させるか否かの指定をする入力操作を受け付けることを含む。表示制御部１６２が電力使用量情報１５２を表示することは、家電機器８００の一部の機能を停止させる入力操作を指定受付部１６３が受け付けた場合に、消費電力情報に基づいて、一部の機能の停止後の電力使用量情報１５２をディスプレイ１４２に表示することを含む。指定送信部１６４が指定の内容をＨＥＭＳコントローラ７００へ送信することは、指定受付部１６３が受け付けた、家電機器８００の一部の機能を停止させるか否かの指定をＨＥＭＳコントローラ７００へ送信することを含む。
【０１２７】
これにより、通信端末は、ユーザに対し、各家電機器で動作させたい機能を確認させつつ、容易な操作で、動作を制限する家電機器を選択させることができる。
【０１２８】
（８）上記の（２）において、表示制御部１６２が電力使用量情報１５２を表示することは、家電機器８００の電力使用量を、時間軸に沿ってディスプレイ１４２に表示することを含む。指定受付部１６３が入力操作を受け付けることは、家電機器８００の少なくとも一部の動作を停止させるか否かの指定を、動作を停止させる時間帯と対応付けて操作受付部１４１により受け付けることを含む。指定送信部１６４が指定の内容をＨＥＭＳコントローラ７００へ送信することは、指定受付部１６３が受け付けた、家電機器８００の少なくとも一部の動作を停止させるか否かと、動作を停止させる時間帯との指定をＨＥＭＳコントローラ７００へ送信することを含む。
【０１２９】
これにより、通信端末は、ユーザに対し、時間軸に沿って、家電機器８００の電力使用量を確認させることができる。例えば、レコーダーが、停電中の時間帯に番組の録画を予約している場合、ユーザは、レコーダーの録画を優先させる等の判断をすることができる。そのため、通信端末は、停電中における各家電機器の電力使用量を時間軸でディスプレイに表示することで、ユーザに対し、家電機器８００の動作を制限するか否かの判断を容易にさせることができる。
【０１３０】
（９）別の実施形態に従うと、蓄電池８３０、家電機器８００およびＨＥＭＳコントローラ７００からなる電力制御システム１において電力の供給を制御するための方法が提供される。この方法は、電力制御システム１を構成するＨＥＭＳコントローラ７００が、系統が停電した場合に、蓄電池残量情報７４１と、電力使用量情報７４２とを通信端末１０へ送信するステップと、通信端末１０が、ＨＥＭＳコントローラ７００から蓄電池の残量の情報と、家電機器８００の電力使用量の情報とを受信するステップと、通信端末１０が、受信した蓄電池残量情報１５１および電力使用量情報１５２をディスプレイ１４２に表示するステップと、通信端末１０が、家電機器８００の少なくとも一部の動作を制限するか否かを指定する入力操作を操作受付部１４１により受け付けるステップと、通信端末１０が、受け付けた指定の内容をＨＥＭＳコントローラ７００へ送信するステップと、ＨＥＭＳコントローラ７００が、通信端末１０から、家電機器８００の少なくとも一部の動作を制限するか否かの指定を受信するステップと、ＨＥＭＳコントローラ７００が、受け付けた指定に従って、家電機器８００の少なくとも一部の動作を制限するステップとを含む。
【０１３１】
これにより、停電が発生した場合に、ユーザにとって動作してほしい家電機器の機能を優先して、蓄電池の限られた電力で家電機器を動作させることができる。
【０１３２】
（１０）別の実施形態に従うと、通信端末１０の動作を制御するためのプログラムが提供される。通信端末１０は、プロセッサ（制御部１６０）と、メモリ（記憶部１５０）とを備え、系統が停電した場合に、電力制御システム１に含まれる家電機器８００の少なくとも一部の動作を制限するように構成されている。プログラムは、プロセッサに、系統が停電した場合に、蓄電池８３０の残量の情報と、家電機器８００の電力使用量の情報とを電力制御システム１から受信するステップと、受信した蓄電池残量情報１５１および電力使用量情報１５２とをディスプレイ１４２に表示するステップと、家電機器８００の少なくとも一部の動作を制限するか否かを指定する入力操作を受け付けるステップと、受け付けた指定の内容を電力制御システム１へ送信するステップとを実行させる。
【０１３３】
これにより、停電が発生した場合に、ユーザにとって動作してほしい家電機器の機能を優先して、蓄電池の限られた電力で家電機器を動作させることができる。
【０１３４】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１３５】
１０  通信端末、１００  サーバ、１０１  アンテナ、１１１  無線通信部、１３１  物理操作キー、１３２  加速度センサ、１４１  操作受付部、１４２  ディスプレイ、１４４  電源制御部、１４５  バッテリ、１４６  音声処理部、１４７  マイク、１４８  スピーカ、１５０  記憶部、１５１  蓄電池残量情報、１５２  電力使用量情報、１５３  停電終了見込情報、１６０  制御部、１６１  電力情報受信部、１６２  表示制御部、１６３  指定受付部、１６４  指定送信部、１９２  通信部、１９６  記憶部、１９７  制御部、１９８  停電終了時刻送信部、１９９  停電終了時刻情報、６００  ブロードバンドルータ、７００  ＨＥＭＳコントローラ、７０１  アンテナ、７０２  無線通信部、７０３  操作受付部、７０４  記憶部、７０５  発光部、７０６  有線通信部、７０７  制御部、７４１  蓄電池残量情報、７４２  電力使用量情報、７４３  停電終了見込情報、７７１  電力情報送信部、７７２  指定受信部、７７３  動作制限部、７７４  停電終了見込受信部、８００  家電機器、８０１  エアコンディショナ、８０２  空気清浄機、８０３  冷蔵庫、８０４  洗濯機、８１０  太陽電池モジュール、８２０  パワーコンディショナ、８３０  蓄電池、８５０  分電盤、８６０  マルチエネルギーモニタ、８７０  多回路ＣＴセンサ、８８０  タップ、９００  インターネット、２０１  停電終了予定時刻、２１１  蓄電池残量バー、２１２  電力使用量バー、２１４  起動確認画面、２１６  起動時確認画面、２１９  機能実行確認画面。
【図１】
2016100917.tif 000003
【図２】
2016100917.tif 000004
【図３】
2016100917.tif 000005
【図４】
2016100917.tif 000006
【図５】
2016100917.tif 000007
【図６】
2016100917.tif 000008
【図７】
2016100917.tif 000009
【図８】
2016100917.tif 000010
【図９】
2016100917.tif 000011
【図１０】
2016100917.tif 000012
【図１１】
2016100917.tif 000013
【図１２】
2016100917.tif 000014